(57)【要約】【課題】データ線群の境界に生じるスジ状の輝度ムラを低減する。【解決手段】コンデンサＣ（ｉ）−ｋによって、データ線１４（ｉ）−ｋに画像信号ＶＩＤｋが供給された際に生じるプッシュダウン量を大なり小なり低減或いは防止することができることに加え、仮にプッシュダウンの発生を排除することができない場合でも、第（ｉ）データ線群の両端に位置するデータ線１４（ｉ）−１及びデータ線１４（ｉ）−１２と、データ線１４（ｉ）−２〜１４（ｉ）−１１との夫々に生じるプッシュダウン量を、実使用上画質に問題が生じない程度に均一にできる。【選択図】図４
2007256909.tif 000002
【特許請求の範囲】
【請求項１】
基板上の画素領域で相互に交差する複数の走査線及び複数のデータ線と、
前記画素領域において前記複数の走査線及び前記複数のデータ線の交差に対応して設けられた複数の画素と、
前記データ線に設けられた保持容量と、
前記複数のデータ線のうちＮ本のデータ線を１群として構成される複数のデータ線群毎に供給されるＮ（但し、Ｎは２以上の自然数）系統のシリアル−パラレル変換された画像信号を供給するＮ本の画像信号線と、
を備え、
前記保持容量のうち、前記Ｎ本のデータ線からなる前記群の端に位置するデータ線に設けられた第１保持容量の容量値と、前記Ｎ本のデータ線のうち前記端に位置するデータ線と異なるデータ線に設けられた第２保持容量の容量値とは互いに異なること
を特徴とする電気光学装置。
【請求項２】
前記第１保持容量の容量値は、前記第２保持容量の容量値に比べて相対的に小さいこと
を特徴とする請求項１に記載の電気光学装置。
【請求項３】
前記第１保持容量は、前記群の一方の端のデータ線に設けられた保持容量と、他方の端に設けられた保持容量とを含み、
前記一方の端のデータ線に設けられた保持容量の容量値と、前記他方の端のデータ線に設けられた保持容量の容量値とは相互に異なっていること
を特徴とする請求項１又は２に記載の電気光学装置。
【請求項４】
前記第１保持容量の容量値は、当該第１保持容量の電極を構成する一対の導電膜及び該一対の導電膜間に介在する誘電体膜が相互に重なる面積、前記誘電体膜の厚み及び前記誘電体膜の比誘電率のうち少なくとも一つを調整することによって設定されていること
を特徴とする請求項１から３のいずれか一項に記載の電気光学装置。
【請求項５】
前記保持容量は、前記基板上において前記画素領域の周辺に位置する周辺領域に配置されていること
を特徴とする請求項１から４のいずれか一項に記載の電気光学装置。
【請求項６】
基板上の画素領域で相互に交差する複数の走査線及び複数のデータ線と、
前記画素領域において前記複数の走査線及び前記複数のデータ線の交差に対応して設けられた複数の画素と、
前記複数のデータ線のうちＮ本のデータ線を１群として構成される複数のデータ線群毎に供給されるＮ（但し、Ｎは２以上の自然数）系統のシリアル−パラレル変換された画像信号を供給するＮ本の画像信号線と、
を備え、
前記Ｎ本のデータ線からなる前記群の端に位置するデータ線に寄生する容量値と、前記Ｎ本のデータ線のうち前記端に位置するデータ線と異なるデータ線に寄生する容量値とは互いに異なること
を特徴とする電気光学装置。
【請求項７】
請求項１から６のいずれか一項に記載の電気光学装置を具備してなること
を特徴とする電子機器。
【発明の詳細な説明】
【技術分野】
【０００１】
本発明は、例えば液晶装置等の電気光学装置、及びそのような電気光学装置を具備してなる例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。
【０００３】
このようにして駆動される電気光学装置では、相隣接する二つのブロックの境目では、相隣接するデータ線間の寄生容量に起因したプッシュダウン（即ち、画像信号電位の電圧降下）によって、ブロックの境目で輝度ムラの発生する技術的問題点がある。特許文献１は、このような技術的問題点を解決する手段の一例として、全てのデータ線にコンデンサを設ける技術を開示している。
【０００４】
【特許文献１】特開２００４−１２５８８７号公報
【発明の開示】
【発明が解決しようとする課題】
【０００５】
しかしながら、相隣接する２つのブロック（即ち、複数のデータ線を含むデータ線群）の境目では、ブロックの端に位置するデータ線に生じるプッシュダウンと、当該データ線よりブロックの中央よりに配置されたデータ線に生じるプッシュダウンとは、画像信号が供給されるタイミングの影響により相対的に異なってしまう。具体的には、画像信号の供給されるブロックに相隣接するブロックでは、当該画像信号が供給されるブロックに先立ち画像信号の供給が完了した状態、或いは画像信号が未だ供給されていない状態である。すなわち、当該相隣接するブロックに含まれるデータ線が充電されるタイミングと、当該画像信号が供給されるブロックに含まれるデータ線が充電されるタイミングとは異なる。そして、このようなタイミングの相違を一因として、当該画像信号が供給されるブロックの両端に位置するデータ線と当該ブロックの中央よりに位置するデータ線との間に生じるプッシュダウン量が相違し、輝度ムラが生じる。特許文献１に開示された技術は、データ線のプッシュダウンを抑制するために各データ線にコンデンサを設けているものの、ブロックの端のデータ線におけるプッシュダウン量の相違を補償し、相隣接する２つのブロックの境界に発生する輝度ムラを低減することを完全に実現できたものではなかった。
【０００６】
本発明は上記問題点に鑑みてなされたものであり、例えば相隣接するブロックの境界に生じる輝度ムラが低減された高品位の画像を表示可能な電気光学装置及びそのような電気光学装置を具備してなる電子機器を提供することを課題とする。
【課題を解決するための手段】
【０００７】
本発明に係る電気光学装置は上記課題を解決するために、基板上の画素領域で相互に交差する複数の走査線及び複数のデータ線と、前記画素領域において前記複数の走査線及び前記複数のデータ線の交差に対応して設けられた複数の画素と、前記データ線に設けられた保持容量と、前記複数のデータ線のうちＮ本のデータ線を１群として構成される複数のデータ線群毎に供給されるＮ（但し、Ｎは２以上の自然数）系統のシリアル−パラレル変換された画像信号を供給するＮ本の画像信号線とを備え、前記保持容量のうち、前記Ｎ本のデータ線より少なくともなる前記群の端に位置するデータ線に設けられた第１保持容量の容量値と、前記Ｎ本のデータ線のうち前記端に位置するデータ線と異なるデータ線に設けられた第２保持容量の容量値とは互いに異なる。
【０００８】
本発明に係る電気光学装置によれば、その駆動時には、シリアル−パラレル変換されたＮ個の画像信号が、Ｎ本の画像信号線に供給され、更に、例えばサンプリング回路へと供給される。Ｎ個の画像信号は、例えば駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。
【０００９】
このような画像信号の供給と並行して、例えばデータ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が順次供給される。よって、同一データ線群に属するデータ線は同時に駆動されることとなる。尚、サンプリングスイッチは、例えば、片チャネル型のＴＦＴにより夫々構成されている。サンプリングスイッチは、ドレインがデータ線に接続され、ゲートに供給されたサンプリング信号に応じてオン状態とされ、画像信号がデータ線に供給される。
【００１０】
このようにデータ線が駆動されると、各画素部では、例えば、走査線駆動回路から走査線を介して供給される走査信号に応じて、スイッチング動作を行う画素スイッチング素子を介して、データ線より画像信号が表示素子に供給される。これより、例えば表示素子である液晶素子は供給された画像信号に基づいて画像表示を行う。
【００１１】
以上のように駆動が行われるので、一のデータ線群の中央よりに位置するデータ線に画像信号がサンプリングされるときは、当該データ線の左右両隣のデータ線も同時に画像信号がサンプリングされる。一方、一のデータ線群の端に位置するデータ線がサンプリングされるときは、当該データ線の左右両隣のデータ線のうち、一方のデータ線しかサンプリングされない。
【００１２】
ここで、一のデータ線の電位は、隣り合うデータ線との間に生じる寄生容量によって、隣り合うデータ線に画像信号がサンプリングされたときに隣り合うデータ線に生じる電位変動の影響を受ける。このとき、データ線群の中央よりに位置するデータ線と、端に位置するデータ線とでは、隣り合うデータ線のうち同時に電位変動が生じるデータ線の数が異なるので、一のデータ線が寄生容量を介して受ける電位変動の影響は、データ線の位置によって異なる。
すなわち、データ線群の端に位置するデータ線の電位変動量は、他のデータ線の電位変動量とは異なる。
【００１３】
なお、本明細書では、データ線の電位変動を「プッシュダウン」あるいは「プッシュアップ」と称して説明する。
【００１４】
そこで、本発明の電気光学装置によれば、前記Ｎ本のデータ線より少なくともなる前記群の端に位置するデータ線に寄生する容量値と、前記Ｎ本のデータ線のうち前記端に位置するデータ線と異なるデータ線に寄生する容量値とを互いに異ならせることによって、輝度ムラを低減する。
【００１５】
そこで、上述したようにデータ線群の両端に位置する２本のデータ線に係るサンプリングスイッチのオンオフの切換時に生じるプッシュダウン量が同一データ線群に属する他のデータ線におけるプッシュダウン量と異なる場合には、例えばこれら２本のデータ線の夫々に対応する２個の保持容量の容量値を当該データ線群に含まれる他のデータ線に電気的に接続された他の容量値と異ならせておくことによって、各データ線におけるプッシュダウン量を均一にできる。
【００１６】
加えて、データ線群の両端に位置する２本のデータ線の夫々に対応する容量値を相互に均等に設定しておくことによって、双方向シフトレジスタを含むデータ線駆動回路から供給されるサンプリング信号が各データ線群に対応して供給される順に左右されず、プッシュダウン量の不均一性を抑制することも可能である。
【００１７】
以上の結果、相隣接するデータ線間の寄生容量に相違に起因して、表示画面上に視認される輝度ムラの発生を防止することが可能となる。その結果、電気光学装置において、高品質な画像表示を行うことができる。
【００１８】
本発明に係る電気光学装置の一の態様では、前記第１保持容量の容量値は、前記第２保持容量の容量値に比べて相対的に小さくてもよい。
【００１９】
この態様によれば、当該データ線群の両端に位置する２本のデータ線の夫々におけるプッシュダウン量が、この２本のデータ線を除く他のデータ線に生じるプッシュダウン量に比べて相対的に小さい場合がある。
【００２０】
より具体的には、例えば画素部に含まれる画素電極の電位、即ち、画像信号電位が、画素電極に対向する対向電極に供給される対向電極電位より高い電位である場合（即ち、正極性である場合）、２本のデータ線におけるプッシュダウン量は、他のデータ線に生じるプッシュダウン量に比べて相対的に小さくなり、２本のデータ線における電位が他のデータ線の電位より相対的に高くなる。このような場合、２本のデータ線に対応する画素部、即ちデータ線群の両端に位置する画素部では、他のデータ線に対応する画素部に比べて表示素子たる液晶分子に印加される電圧が相対的に大きくなり、相対的に他の画素部より光透過率が低い黒表示がなされる。
【００２１】
また、例えば画素部に含まれる画素電極の電位、即ち、画像信号電位が、画素電極に対向する対向電極に供給される対向電極電位より低い電位である場合（即ち、負極性である場合）、２本のデータ線におけるプッシュダウン量は、他のデータ線に生じるプッシュダウン量に比べて相対的に小さくなり、２本のデータ線における電位が他のデータ線の電位より相対的に低くなる。このような場合、２本のデータ線に対応する画素部、即ちデータ線群の両端に位置する画素部では、他のデータ線に対応する画素部に比べて表示素子たる液晶分子に印加される電圧が相対的に大きくなり、相対的に他の画素部より光透過率が高い白表示がなされる。
【００２２】
したがって、この態様では、データ線群の両端に位置する２本のデータ線に対応する２つの保持容量の容量値を他の容量値の容量値より小さくすることによって、当該２本のデータ線におけるプッシュダウン量を他のデータ線におけるプッシュダウン量と均一にする。これにより、データ線群の両端、即ちデータ線群の境界に生じる輝度ムラを低減できる。より具体的には、例えば画像表示領域全体でテストパターンとしてグレー表示をさせた場合に、データ線群の境界において黒表示或いは白表示等の他の画素部と異なる輝度で画像表示が行われる不具合を低減できる。
【００２３】
本発明に係る電気光学装置の他の態様では、前記第１保持容量は、前記群の一方の端のデータ線に設けられた保持容量と、他方の端に設けられた保持容量とを含み、前記一方の端のデータ線に設けられた保持容量の容量値と、前記他方の端のデータ線に設けられた保持容量の容量値とは相互に異なっていてもよい。
【００２４】
この態様によれば、例えばサンプリング回路から各データ線群に対応してサンプリング供給されるサンプリング信号の順に応じて、２つの保持容量の容量値を相互に異ならせておくことができる。より具体的には、一のデータ線群に相隣接する２つのデータ線群には、当該一のデータ線に相前後して供給されるサンプリング信号に応じて画像信号が供給される。したがって、一のデータ線群の両端に位置する２つのデータ線の夫々には、これら２つのデータ線群の夫々に電位に対応して相互に異なるプッシュダウン量が生じる。より具体的は、データ線の配列方向に沿って一方に向いて順次供給されるサンプリング信号によって各データ線群に画像信号が順次供給される場合、或いは他方に向いて各データ線群に画像信号が順次供給される場合、即ちサンプリング信号を供給する供給形式に応じて区分けされた電気光学装置の駆動方式（Ｒシフト或いはＬシフト）に応じて、２つの保持容量の容量値を相互に異ならせておけば、サンプリング信号が供給される順に応じて２つのデータ線に相互に異なるプッシュダウン量を生じることを低減できる。
【００２５】
本発明に係る電気光学装置の他の態様では、前記第１保持容量の容量値は、当該第１保持容量の電極を構成する一対の導電膜及び該一対の導電膜間に介在する誘電体膜が相互に重なる面積、前記誘電体膜の厚み及び前記誘電体膜の比誘電率のうち少なくとも一つを調整することによって設定されていてもよい。
【００２６】
この態様では、一対の導電膜は、例えば基板上で延在された２本のデータ線と一体的に形成された延在部であってもよいし、２つのデータ線とは別に形成された導電膜が当該２本のデータ線の夫々に電気的に接続されたものであってもよい。
【００２７】
一対の導電膜及び該一対の導電膜間に介在する誘電体膜が相互に重なる面積は、プッシュダウン量或いはプッシュアップ量の相違が各データ線間で低減されるように、基板上に形成される配線或いは回路のレイアウトに応じて狙いに静電容量となるように設定されていればよい。これと同様に誘電体の厚み及び比誘電率も設定可能である。
【００２８】
このようにして２つの保持容量の容量値を適切な値に確保でき、該データ線が保有すべき電位に変動が生じるということを抑制することが可能となる。したがって、その変動に応じて各データ線に電気的に接続された画素電極に電位変動が生じるという事態を防止でき、データ線群の両端に位置する２つのデータ線に沿ったスジ状の輝度ムラの発生を極力抑制することが可能となる。
【００２９】
本発明に係る電気光学装置の他の態様では、前記保持容量は、前記基板上において前記画素領域の周辺に位置する周辺領域に配置されていてもよい。
【００３０】
この態様によれば、当該保持容量及び他の保持容量によって画素領域が狭められることないため、電気光学装置のサイズが大きくすることなく、表示性能を高めることが可能である。
【００３１】
本発明に係る電気光学装置は上記課題を解決するために、基板上の画素領域で相互に交差する複数の走査線及び複数のデータ線と、前記画素領域において前記複数の走査線及び前記複数のデータ線の交差に対応して設けられた複数の画素と、前記複数のデータ線のうちＮ本のデータ線を１群として構成される複数のデータ線群毎に供給されるＮ（但し、Ｎは２以上の自然数）系統のシリアル−パラレル変換された画像信号を供給するＮ本の画像信号線とを備え、前記Ｎ本のデータ線より少なくともなる前記群の端に位置するデータ線に寄生する容量値と、前記Ｎ本のデータ線のうち前記端に位置するデータ線と異なるデータ線に寄生する容量値とは互いに異なる。
【００３２】
本発明に係る電気光学装置によれば、上述の電気光学装置と同様に輝度ムラを低減し、画質を高めることが可能である。
【００３３】
本発明に係る電子機器は上記課題を解決するために、上述した本発明の電気光学装置を具備してなる。
【００３４】
本発明に係る電子機器によれば、上述した本発明に係る電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００３５】
本発明のこのような作用及び他の利得は次に説明する実施形態から明らかにされる。
【発明を実施するための最良の形態】
【００３６】
以下図面を参照しながら本実施形態の電気光学装置及びこれを具備してなる電子機器を詳細に説明する。尚、本実施形態では、本発明の電気光学装置の一例である液晶装置を例に挙げる。
【００３７】
＜１；液晶装置の全体構成＞
先ず、図１及び図２を参照しながら、本実施形態に係る液晶装置１の具体的な構成を説明する。図１は、ＴＦＴアレイ基板１０をその上に形成された各構成要素と共に対向基板２０の側から見た液晶装置１の概略的な平面図であり、図２は、図１のＨ−Ｈ'断面図である。
【００３８】
図１及び図２において、液晶装置１は、ＴＦＴアレイ基板１０と、ＴＦＴアレイ基板１０に対向配置された対向基板２０とを備えている。ＴＦＴアレイ基板１０及び対向基板２０間には液晶層５０が封入されており、ＴＦＴアレイ基板１０及び対向基板２０は、画像表示領域１０ａの周囲に位置するシール領域に設けられたシール材５２を介して相互に接着されている。
【００３９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。
【００４０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４１】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺のいずれかに沿い、且つ、額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに電気的に接続される。尚、画像表示領域１０ａの周辺に位置する周辺領域には、後述する各データ線に電気的に接続された複数のコンデンサ（保持容量）が配置されている。
【００４２】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これら上下導通端子及び上下導通材１０６により、ＴＦＴアレイ基板１０及び対向基板２０間で電気的な導通をとることができる。
【００４３】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で、所定の配向状態をとる。尚、液晶装置１は、サンプリング回路の他にプリチャージ回路を備えていてもよい。
【００４４】
＜２；液晶装置の電気的な構成＞
次に、図３を参照しながら、液晶装置１の電気的な接続構成を説明する。図３は、液晶装置１の主要な電気的接続構成を示すブロック図である。
【００４５】
図３において、液晶装置１は、ＴＦＴアレイ基板１０の周辺領域に走査線駆動回路１０４、データ線駆動回路１０１、サンプリング回路２００、検査回路７０１、画像信号線１７１及び容量部ＣＡを備えている。
【００４６】
走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１，…，Ｙｍを順次生成して出力する。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１，Ｓ２，…，Ｓｎを順次生成して出力する。走査線駆動回路１０４及びデータ線駆動回路１０１の夫々は、ＴＦＴアレイ基板１０上における画像表示領域１０ａの周辺領域に形成された複数のＴＦＴを含むシフトレジスタ等の信号処理手段を備えている。
【００４７】
サンプリング回路２００は、データ線１４毎に設けられた複数のサンプリングスイッチ２０２を備えている。サンプリングスイッチ２０２は、例えば、電気的に直列に接続された２つのＴＦＴから構成されており、これらＴＦＴの夫々は、Ｐチャネル型又はＮチャネル型の片チャネル型ＴＦＴである。
【００４８】
液晶装置１は、ＴＦＴアレイ基板１０の中央を占める画像表示領域１０ａに、縦横に配線されたデータ線１４、走査線１１ａ及び容量配線４００を備えている。データ線１４及び走査線１１ａが互いに交差する交点に対応する位置にマトリクス状に画素部７０が設けられている。画素部７０は、液晶素子１１８、画素電極９ａ、及び画素電極９ａをスイッチング制御するためのＴＦＴ１１６、並びに保持容量１１９を備える。容量配線４００は、不図示の定電位源に電気的に接続されている。容量配線４００に供給される電源の電位は、画素電極９ａに対向配置された対向電極に供給される対向電極電位ＬＣＣＯＭである。容量配線４００は、保持容量１１９を構成する一方の電極に電気的に接続されている。この一方の電極の電位は、液晶装置１の駆動時に対向電極電位ＬＣＣＯＭに維持される。保持容量１１９は、液晶素子１１８と並列に付加されている。画素電極９ａの電圧は、ソース電圧が印加された時間よりも、例えば３桁も長い時間だけ保持容量１１９により保持されるので、保持特性が改善される結果、高コントラスト比が実現される。
【００４９】
画像信号線１７１の夫々は、サンプリング回路２００を介して各々対応するデータ線に電気的に接続されている。外部回路から供給された１系統の入力画像データＶＩＤをシリアル−パラレル変換して得られるＮ系統の画像信号は、サンプリング信号Ｓｉに応じてオンオフが切り換えられるサンプリングスイッチ２０２を介して画像信号線１７１の夫々に供給される。Ｎ系統の画像信号は、例えば、不図示の画像信号供給回路等の信号変換手段を用いて一系統の入力画像データを変換することによって生成される。
【００５０】
本実施形態では、１２系統、即ち１２相（Ｎ＝１２）の画像信号ＶＩＤ１〜ＶＩＤ１２が生成され、これら１２相に画像信号に対応して画像信号線１７１は１２本設けられている。更に、不図示の画像信号供給回路において、画像信号ＶＩＤ１〜ＶＩＤ１２の各々の電圧が、基準電位である対向電極電位ＬＣＣＯＭに対して正極性及び負極性に反転され、このように極性反転された画像信号ＶＩＤ１〜ＶＩＤ１２が出力されてもよい。
【００５１】
検査回路７０１は、データ線１４に電気的に接続されており、検査信号を各画素部７０に供給する。
【００５２】
容量部ＣＡは、複数のコンデンサＣ（ｉ）−ｋ（ｉ＝１，２，…，ｎ、ｎは２以上の自然数であり、ｋ＝１，２，…，Ｎである）を備えている。複数のコンデンサＣ（ｉ）−ｋは、容量配線４００及び各データ線１４に電気的に接続されており、サンプリングスイッチ２０２がオン状態に切り換えられた際に、データ線１４に供給された画像信号電位が本来の画像信号電位に比べて、小さくなること（即ち、プッシュダウン）を低減或いは防止する。
【００５３】
＜３；液晶装置の動作原理＞
次に、図３を参照しながら、液晶装置１の動作原理を説明する。液晶装置１は、ライン反転方式の一例である１Ｈ反転駆動方式で駆動される。
【００５４】
図３において、ＴＦＴ１１６は、データ線１４から供給される画像信号を選択画素に印加するために設けられている。ＴＦＴ１１６のゲートは走査線１１ａに電気的に接続されており、ソースはデータ線１４に電気的に接続されている。ＴＦＴ１１６のドレインは画素電極９ａに接続されている。画素電極９ａは、後述の対向電極２１との間で形成される液晶容量を、画像信号に応じて一定期間保持する。保持容量１１９の一方の電極は、画素電極９ａと並列してＴＦＴ１１６のドレインに電気的に接続され、他方の電極は、対向電極電位ＬＣＣＯＭが供給された容量配線４００に接続され、定電位に維持される。
【００５５】
液晶装置１は、例えばＴＦＴアクティブマトリクス駆動方式を採り、走査線駆動回路１０４から各走査線１１ａに走査信号Ｙ１，Ｙ２，…，Ｙｍを線順次に印加すると共に、ＴＦＴ１１６がオン状態となる水平方向の選択画素領域の列に、データ線駆動回路１０１からデータ線１４に画像信号を印加するようになっている。この際、画像信号を各データ線１４に線順次に供給してもよい。これにより、画像信号が選択画素領域の画素電極９ａに供給される。液晶装置１は、ＴＦＴアレイ基板１０と対向基板２０とが液晶層５０を介して対向配置されているので（図２参照）、以上のようにして区画配列された画素領域毎に液晶層５０に電界を印加することにより、両基板間の透過光量が画素領域毎に制御され、画像が階調表示される。このとき、各画素領域に保持された画像信号は、保持容量１１９によってリークが防止される。
【００５６】
１２相にシリアル−パラレル展開された画像信号ＶＩＤ１〜ＶＩＤ１２は、Ｎ本、本実施形態では１２本の画像信号線１７１を介して各画素部７０に供給される。データ線１４は、以下に説明するように、画像信号線１７１の本数に対応する１２本のデータ線１４を１群とするデータ線群毎に順次駆動される。
【００５７】
データ線駆動回路１０１から、データ線群に対応するサンプリングスイッチ２０２毎にサンプリング信号Ｓｉ（ｉ＝１，２，…，ｎ）が順次供給され、サンプリング信号Ｓｉに応じて各サンプリングスイッチ２０２はオン状態となる。
【００５８】
よって、画像信号ＶＩＤ１〜ＶＩＤ１２は、オン状態に切り換えられたサンプリングスイッチ２０２を介して１２本の画像信号線１７１の夫々からデータ線群に属するデータ線１４に同時に、且つデータ線群毎に順次供給され、一のデータ線群に属するデータ線１４は互いに同時に駆動されることとなる。したがって、本実施形態の液晶装置１によれば、データ線１４をデータ線群毎に駆動するため、駆動周波数を抑制できる。
【００５９】
液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置１から画像信号ＶＩＤ１〜ＶＩＤ１２に応じたコントラストをもつ光が出射され、画像が表示される。
【００６０】
尚、本実施形態では、１Ｈ反転駆動方式が採用されているので、ｍ番目（但しｍは自然数）のフィールド或いはフレームの画像表示期間中、Ｙ軸方向（図中、データ線１４に沿った方向）に並列した画素電極９ａの各行に、隣接する列とは基準電圧に対する極性が相異なる電圧が印加され、画素領域は、行毎に逆極性の液晶駆動電圧が印加された状態で駆動される。より具体的には、ｍ番目のフィールドに続くｍ＋１番目のフィールド或いはフレームの画像表示期間では、液晶駆動電圧の極性を反転させる。ｍ＋２番目のフィールド或いはフレーム以降は、ｍ番目及びｍ＋１番目と同様の状態が周期的に繰り返される。このように液晶層５０への印加電圧の極性を周期的に反転させると、液晶に直流電圧が印加されるのが防止され、液晶の劣化が抑制される。加えて、画素電極９ａの行毎に印加電圧の極性を逆としているので、クロストークやフリッカが低減される。保持容量１１９を構成する一対の電極のうち容量配線４００に電気的に接続された電極（即ち、上述した一方の電極）の電位は対向電極電位ＬＣＣＯＭに維持されているため一定であるが、容量配線４００に電気的に接続されていない電極（即ち、上述した一方の電極）の電位は、固定電位である対向電極電位ＬＣＣＯＭに対する印加電圧、即ち画像信号電位の極性反転によって周期的に逆極性の電位となる。
【００６１】
本実施形態では、液晶装置１の駆動方式として１Ｈ反転駆動を例に挙げているが、駆動方式は画素列毎に逆極性の電圧を印加する１Ｓ反転駆動方式、或いは隣接する画素毎に逆極性の電圧を印加するドット反転駆動方式を採用してもよいことは言うまでもない。
【００６２】
次に、図４乃至図６を参照しながら、データ線１４の駆動に係る主要な構成を説明する。図４は、データ線１４の駆動に係る回路構成を示す図である。図５及び図６は、一のデータ線群に含まれる各データ線における画像信号電位の変化を模式的に示した図である。
【００６３】
以下では、ｍ本のデータ線１４の配列方向に沿って片方向に、データ線１４がデータ線群毎に順次駆動される場合を例に挙げる。より具体的には、データ線駆動回路１０１から第（ｉ−１）番目、第ｉ番目、及び第（ｉ＋１）番目に出力される３つのサンプリング信号Ｓｉ−１，Ｓｉ，Ｓｉ＋１に基づいて駆動される３つのデータ線群のうち、特に第ｉ番目のサンプリング信号Ｓｉに基づいて駆動される第ｉデータ線群の構成に着目して説明する。
【００６４】
図４において、液晶装置１は、１２本のデータ線からなる第（ｉ）データ線群、及び容量部ＣＡを備えている。
【００６５】
第（ｉ）データ線群に属するデータ線１４（ｉ）−ｋ（ｋ＝１，２，…，１２）は、画像信号ＶＩＤ１〜ＶＩＤ１２の夫々とサンプリングスイッチ２０２及び分岐配線Ｅ１〜Ｅ１２を介して電気的に接続されている。１２本の分岐配線Ｅ１〜Ｅ１２の一端は画像信号線１７１に夫々電気的に接続されており、他端はサンプリングスイッチ２０２を介してデータ線１４（ｉ）−ｋ（ｋ＝１，２，…，１２）に電気的に接続されている。各サンプリングスイッチ２０２は例えばＴＦＴで構成され、ソースが分岐配線Ｅｋ（ｋ＝１，２，…，１２）に電気的に接続されると共に、ドレインがデータ線１４（ｉ）−ｋに電気的に接続される。サンプリングスイッチ２０２のゲートは、制御配線Ｘ１〜Ｘ１２を介してデータ線駆動回路１０１に電気的に接続されている。尚、制御配線Ｘ１〜Ｘ１２には第ｉ番目のサンプリング信号Ｓｉがデータ線駆動回路１０１から一括で供給される。
【００６６】
容量部ＣＡは、各データ線１４（ｉ）−ｋに対応して設けられたコンデンサＣ（ｉ）−ｋを備えている。コンデンサＣ（ｉ）−ｋは、各データ線１４（ｉ）−ｋ及び容量配線４００間に電気的に接続されており、データ線１４（ｉ）−ｋに画像信号ＶＩＤｋを供給する前又は供給する際に、後述する寄生容量Ｃｐ（ｉ）−ｋ，ＣＯ−１，ＣＯ−２を介してデータ線１４（ｉ）−ｋに電位変動が生じることを低減或いは防止する。
【００６７】
ここで、図４に示す複数のデータ線１４（ｉ）−ｋの夫々には、相隣接する他のデータ線１４（ｉ）−ｋとの間に寄生容量Ｃｐ（ｉ）−ｊ（ｊ＝１，２，…，１１）が存在している。より具体的には、例えば第（ｉ）データ線群に属するデータ線１４（ｉ）−１１と、このデータ線に相隣接する他のデータ線１４（ｉ）−１０及びデータ線１４（ｉ）−１２との間には、寄生容量Ｃｐ（ｉ）−１０及び寄生容量Ｃｐ（ｉ）−１１が存在する。
【００６８】
他方、第（ｉ）データ線群の配列方向に沿って第（ｉ）データ線群の両端に位置する２本のデータ線１４（ｉ）−１及びデータ線１４（ｉ）−１２のうち、データ線１４（ｉ）−１と、第（ｉ−１）番目のサンプリング信号Ｓｉ−１に基づいて画像信号が供給される第（ｉ−１）データ線群に属するデータ線１４（ｉ−１）−１２との間には、寄生容量ＣＯ−１が存在する。データ線１４（ｉ）−１２と、第（ｉ＋１）番目のサンプリング信号Ｓｉ＋１に基づいて画像信号が供給される第（ｉ＋１）データ線群に属するデータ線１４（ｉ＋１）−１との間には、寄生容量ＣＯ−２が存在する。
【００６９】
本実施形態では、第（ｉ）データ線群に画像信号ＶＩＤ１〜ＶＩＤ１２が供給されるタイミングに相前後するタイミングで、第（ｉ−１）データ線群及び第（ｉ＋１）データ線群の夫々に画像信号ＶＩＤ１〜ＶＩＤ１２が一括で供給される。
【００７０】
したがって、画像信号ＶＩＤ１〜ＶＩＤ１２が供給された際に、第（ｉ）データ線群に含まれるデータ線のうち、端に位置するデータ線以外のデータ線、例えばデータ線１４（ｉ）−２に画像信号が供給されるときには、同時に右隣のデータ線１４（ｉ）−１と左隣のデータ線１４（ｉ）−３との両方に画像信号が供給される。つまり、データ線１４（ｉ）−２に画像信号が供給されて、データ線１４（ｉ）−２の電位が変化するときは、同時に両隣のデータ線の電位も変化している。
一方、第（ｉ）データ線群の端に位置するデータ線、例えばデータ線１４（ｉ）−１に画像信号が供給されるときには、左隣のデータ線１４（ｉ−１）−１２への画像信号の供給は既に終了している。従って、データ線１４（ｉ）−１に画像信号が供給されて、データ線１４（ｉ）−１の電位が変化するときは、左隣のデータ線の電位は変化せず、右隣のデータ線の電位が変化する。
このため、データ線群の端に位置するデータ線と、その他のデータ線とでは、寄生容量を介して受ける、隣接するデータ線の電位変化の影響の大きさが異なる。この結果として、データ線群の端のデータ線は他のデータ線と比べてプッシュダウン量が異なることになる。
【００７１】
具体的には、データ線１４（ｉ）−２は、画像信号が供給されるときに、寄生容量Ｃｐ（ｉ）−１及び寄生容量Ｃｐ（ｉ）−２のそれぞれを介して、データ線１４（ｉ）−１及びデータ線１４（ｉ）−３の電位変化の影響を受ける。つまり、データ線１４（ｉ）−２は両隣のデータ線から影響を受ける。データ線１４（ｉ）−３〜１４（ｉ）−１１も同様である。
これに対して、データ線１４（ｉ）−１は、画像信号が供給されるときに、寄生容量Ｃｐ（ｉ）−１からデータ線１４（ｉ）−２の電位変化の影響を受ける。一方、データ線１４（ｉ−１）−１２の電位は変化していないので、データ線１４（ｉ）−１は、寄生容量ＣＯ−１からは何も影響を受けない。つまり、データ線１４（ｉ）−１は片側のデータ線のみから影響を受ける。データ線１４（ｉ）−１２についても同様のことが成り立つ。
【００７２】
この結果、データ線１４（ｉ）−１及びデータ線１４（ｉ）−１２に生じるプッシュダウン量と、データ線１４（ｉ）−２乃至データ線１４（ｉ）−１１に生じるプッシュダウン量とは相互に異なる。このようなプッシュダウン量の相違は、第（ｉ）データ線群の両端に位置するデータ線に添って、スジ状の表示異常を生じさせる一因となる。
【００７３】
尚、表示異常の例としては、テストパターンとして液晶装置１にグレー表示をさせた際に、相対的に暗い部分、即ち黒い部分がデータ線に沿ってスジ状に表示される不具合や、黒い部分の代わりに相対的に周囲より明るい部分、即ち白い部分がデータ線に沿ってスジ状に表示される不具合などがある。
【００７４】
ここで、図５及び図６を参照しながら、第（ｉ）データ線群に含まれるデータ線に生じるプッシュダウン量をより具体的に説明する。
【００７５】
図５は、対向電極電位ＬＣＣＯＭに対して正極性の画像信号ＶＩＤ１〜ＶＩＤ１２が供給されたデータ線の電位を模式的に示している。図６は、対向電極電位ＬＣＣＯＭに対して負極性の画像信号ＶＩＤ１〜ＶＩＤ１２が供給されたデータ線の電位を模式的に示している。
【００７６】
図５（ａ）において、データ線１４（ｉ）−１〜１４（ｉ）−１２の夫々に供給される、対向電極電位ＬＣＣＯＭを基準電位とした本来の画像信号ＶＩＤ１〜ＶＩＤ１２の画像信号電位に比べて、データ線１４（ｉ）−２〜１４（ｉ）−１１における実際に供給された画像信号ＶＩＤ２〜ＶＩＤ１１の画像信号電位は、寄生容量に応じてデータ線１４（ｉ）−２〜１４（ｉ）−１１に生じたプッシュダウン量ＰＤ１分だけ低くなる。
【００７７】
図５（ｂ）において、データ線１４（ｉ）−１及びデータ線１４（ｉ）−１２では、他のデータ線１４（ｉ）−２〜１４（ｉ）−１１に生じるプッシュダウン量ＰＤ１に比べて相対的に小さいプッシュダウン量ＰＤ２が生じている。
【００７８】
したがって、ノーマリーホワイトの場合、図５（ａ）及び図５（ｂ）に示した電位の相違によって、第（ｉ）データ線群の両端に位置するデータ線１４（ｉ）−１及びデータ線１４（ｉ）−１２に沿って黒に近い表示がなされてしまう不具合が生じる。
【００７９】
図６（ａ）において、データ線１４（ｉ）−１〜１４（ｉ）−１２の夫々に供給される、対向電極電位ＬＣＣＯＭを基準電位とした本来の画像信号ＶＩＤ１〜ＶＩＤ１２の画像信号電位に比べて、データ線１４（ｉ）−２〜１４（ｉ）−１１において実際に供給された画像信号ＶＩＤ２〜ＶＩＤ１１の画像信号電位は、データ線１４（ｉ）−２〜１４（ｉ）−１１に生じたプッシュアップ量ＰＵ３分だけ高くなる。
【００８０】
図６（ｂ）において、データ線１４（ｉ）−１及びデータ線１４（ｉ）−１２では、他のデータ線１４（ｉ）−２〜１４（ｉ）−１１に生じるプッシュアップ量ＰＵ３に比べて相対的に小さいプッシュアップ量ＰＵ４が生じている。
【００８１】
したがって、図６（ａ）及び図６（ｂ）に示した電位の相違によって、第（ｉ）データ線群の両端に位置するデータ線１４（ｉ）−１及びデータ線１４（ｉ）−１２に沿って黒に近い表示がなされてしまう不具合が生じる。
【００８２】
これに対して、本実施形態の液晶装置１は、データ線１４（ｉ）−ｋに画像信号ＶＩＤｋが供給された際に生じるプッシュダウン量（もしくはプッシュアップ量）を低減或いは防止することに加え、仮にプッシュダウンの発生を排除することができない場合でも、第（ｉ）データ線群の両端に位置するデータ線１４（ｉ）−１及びデータ線１４（ｉ）−１２と、データ線１４（ｉ）−２〜１４（ｉ）−１１との夫々に生じるプッシュダウン量の相違を、画像表示で問題が生じない程度に均一にできるものである。
【００８３】
より具体的には、本発明の「第１保持容量」及び「第２保持容量」の夫々一例であるコンデンサＣ（ｉ）−１及びコンデンサＣ（ｉ）−１２は、コンデンサＣ（ｉ）−２〜Ｃ（ｉ）−１１と比べて異なる静電容量を有している。すなわち、コンデンサＣ（ｉ）−１及びコンデンサＣ（ｉ）−１２の夫々の静電容量は、寄生容量Ｃｐ（ｉ）−１〜Ｃｐ（ｉ）−１１と寄生容量ＣＯ−１及び寄生容量ＣＯ−２とを介した電位変動の影響の相違を相殺するように、コンデンサＣ（ｉ）−２〜Ｃ（ｉ）−１１と異なる静電容量に設定されている。例えば、コンデンサＣ（ｉ）−１及びコンデンサＣ（ｉ）−１２の静電容量は、コンデンサＣ（ｉ）−２〜Ｃ（ｉ）−１１の静電容量に比べて相対的に小さくなるように設定されている。
【００８４】
このように第（ｉ）データ線群の中央よりに位置するデータ線１４（ｉ）−２〜１４（ｉ）−１１に電気的に接続されたコンデンサＣ（ｉ）−２〜Ｃ（ｉ）−１１と、第（ｉ）データ線群の両端に位置するデータ線１４（ｉ）−１〜１４（ｉ）−１２に対応するコンデンサＣ（ｉ）−１及びコンデンサＣ（ｉ）−１２の静電容量を相互に異なる値に設定しておくことによって、複数のデータ線間に生じるプッシュダウン量の不均一性を低減或いは防止でき、データ線群の境界に生じる黒表示或いは白表示等の表示上の不具合を低減できる。
【００８５】
尚、コンデンサＣ（ｉ）−１及びコンデンサＣ（ｉ）−１２の静電容量は、黒表示或いは白表示等のスジ状の輝度ムラが生じないように、或いは実質的に画質を低下させないように、実験的、理論的或いはシミュレーション的に設定されていればよい。
【００８６】
データ線１４（ｉ）−１及びデータ線１４（ｉ）−１２における画像信号ＶＩＤ１及び画像信号ＶＩＤ１２の画像信号電位に対するプッシュダウン量が、他のデータ線に供給される画像信号に対するプッシュダウン量より小さい場合には、プッシュダウン量の差を相殺するように、コンデンサＣ（ｉ）−１及びコンデンサＣ（ｉ）−１２の静電容量を他のコンデンサより相対的に小さく設定しておくとよい。例えば、コンデンサＣ（ｉ）−２〜Ｃ（ｉ）−１１の静電容量を２乃至３ｐＦ程度に設定し、これに対して、コンデンサＣ（ｉ）−１及びコンデンサＣ（ｉ）−１２の静電容量を、プッシュダウン量の相違１Ｖ当たり０．１ｐＦ程度小さく設定するとよい。
【００８７】
コンデンサＣ（ｉ）−１及びコンデンサＣ（ｉ）−１２の夫々の静電容量は、液晶装置１の駆動方式に応じて相互に等しく設定されていてもよいし、相互に異なる値に設定されていてもよい。より具体的には、例えば、コンデンサＣ（ｉ）−１及びコンデンサＣ（ｉ）−１２の静電容量を相互に等しく設定しておくことによって、双方向シフトレジスタを含むデータ線駆動回路から供給されるサンプリング信号が各データ線群に対応して供給される順に左右されず、プッシュダウン量の不均一性を低減できる。
【００８８】
また、本実施形態の液晶装置１が採用した駆動方式のように、一方向に沿って順次各データ線群に画像信号を供給する場合（所謂Ｒシフト方式、或いはＬシフト方式）には、画像信号が順次供給される向きに応じてコンデンサＣ（ｉ）−１及びコンデンサＣ（ｉ）−１２夫々の静電容量を異ならせて設定しておくことによって、データ線群の両端に位置する２本のデータ線の夫々において互いに異なるプッシュダウン量が生じた場合でも、これらプッシュダウン量と、他のデータ線において生じるプッシュダウン量とを均一にできる。これにより、データ線群の両端に生じるスジ状の輝度ムラ等の表示上の不具合をより効果的に低減或いは防止できる。
【００８９】
以上の結果、本実施形態に係る液晶装置によれば、相隣接するデータ線間の寄生容量を介した電位変化の影響の相違に起因して表示画面上に視認される黒表示或いは白表示等の輝度ムラの発生を低減或いは防止できる。その結果、液晶装置等の電気光学装置において、高品質な画像表示を行うことができる。
【００９０】
＜４；コンデンサの具体的構成＞
次に、図７及び図８を参照しながら、データ線に電気的に接続されたコンデンサの具体的な構成を説明する。図７は、データ線に電気的に接続されたコンデンサの平面図であり、図８は、図７のＢ−Ｂ'線断面図である。尚、図７は、第（ｉ）データ線群の具体的な平面構造を示している。
【００９１】
図７において、コンデンサＣ（ｉ）−ｋ（ｋ＝１，２，…，１２）は、ＴＦＴアレイ基板１０上において画像表示領域１０ａの周辺に位置する周辺領域に設けられている。尚、データ線１４の図４中下端の側にはサンプリング回路２００及びデータ線駆動回路１０１が接続されている（図４において不図示、図３参照）。
【００９２】
コンデンサＣ（ｉ）−ｋは、データ線１４に電気的に接続された第１導電膜５１１を一方の電極とし、データ線１４に交差する方向に延び、対向電極電位ＬＣＣＯＭに電位が維持されたコンデンサ電極用配線５０３に電気的に接続された第２導電膜５１２を他方の電極とするとともに、これらの間に図８に示す誘電体膜７５を挟持して構成されている。
【００９３】
本実施形態では、コンデンサＣ（ｉ）−１及びコンデンサＣ（ｉ）−１２の夫々が有する第１導電膜５１１−１及び第１導電膜５１１−１２は、他の第１導電膜５１１−２〜５１１−１１に比べて小さい面積となるように形成されている。第１導電膜５１１−１及び第１導電膜５１１−１２が第２導電膜５１２及び誘電体膜７５と重なる面積は、他のコンデンサＣ（ｉ）−２乃至コンデンサＣ（ｉ）−１１より小さい。したがって、コンデンサＣ（ｉ）−１及びコンデンサＣ（ｉ）−１２の夫々の静電容量は、他のコンデンサＣ（ｉ）−２乃至コンデンサＣ（ｉ）−１１の静電容量より相対的に小さく設定されている。
【００９４】
図７及び図８に示すように、第１導電膜５１１は、第１層間絶縁膜４１上に形成されている。第１導電膜５１１は、コンタクトホール５８１及びコンタクトホール５８２、並びに迂回層５２０を介してデータ線１４と相互に電気的に接続されている。コンタクトホール５８１は、第１層間絶縁膜４１及び第２層間絶縁膜４２を貫通して開孔されたものであり、コンタクトホール５８２は、第１層間絶縁膜４１に開孔されたものである。迂回層５２０は、下地絶縁膜１２上に形成されたものであり、走査線１１ａと同一膜として形成されている。これにより、第１導電膜５１１は、データ線１４と同一の電位を有する。
【００９５】
迂回層５２０には、コンタクトホール５８３を介して、検査回路用配線６０ａが接続されている。検査回路用配線６０ａは、データ線１４と同一膜として形成されている。検査回路用配線６０ａの先には、図３に示した検査回路７０１が接続されており、検査回路７０１は複数のＴＦＴ７０２を含むものとなっている。ＴＦＴ７０２には、検査回路用配線６０ａとは別に、配線７０３が接続されている。
【００９６】
図７及び図８に示すように、第２導電膜５１２は、第１導電膜５１１上に形成された誘電体膜７５の上に、該第１導電膜５１１と対向するように形成されている。第２導電膜５１２は、第２層間絶縁膜４２上に形成されたコンデンサ電極用配線５０３に、コンタクトホール５８４を介して接続されている。
【００９７】
コンデンサ電極用配線５０３は、データ線６ａに交差する方向に延びデータ線１４と同一膜として形成されている。尚、第１導電膜５１１及びコンデンサ用電極配線５０３と、検査回路用配線６０ａの三者は、図８に示すように同一膜として形成されている。
【００９８】
コンデンサ電極用配線５０３は、対向電極２１に対向電極電位ＬＣＣＯＭを供給するために、図３に示す容量配線４００に電気的に接続されているため、第２導電膜５１２の電位は対向電極電位ＬＣＣＯＭに維持されている。
【００９９】
したがって、画像信号ＶＩＤ１〜ＶＩＤ１２が各データ線１４に供給された際には、第１導電膜５１１、第２導電膜５１２及び誘電体膜７５の重なり面積に応じて各コンデンサの静電容量が異なることになる。より具体的には、他のコンデンサより第１導電膜の面積が小さいコンデンサＣ（ｉ）−１及びコンデンサＣ（ｉ）−１２の静電容量は他のコンデンサＣ（ｉ）−２及びコンデンサＣ（ｉ）−１１より相対的に小さく設定されている。
【０１００】
このようなコンデンサＣ（ｉ）−１及びコンデンサＣ（ｉ）−１２によれば、既に述べたように第（ｉ）データ線群の両端のデータ線に沿って表示されるスジ状の輝度ムラを低減でき、高品位の画像を表示できる。尚、コンデンサＣ（ｉ）−１及びコンデンサＣ（ｉ）−１２の静電容量を他のコンデンサと異なる静電容量に設定するためには、誘電体膜７５の厚み或いは比誘電率等の静電容量を規定する特性を調整することも可能である。
【０１０１】
また、本実施形態においては、コンデンサ電極用配線５０３乃至第２導電膜５１２を固定電位とするためには、対向電極２１を固定電位とするための電源、又はデータ線駆動回路若しくは走査線駆動回路に供給される固定電位を供給するための電源のいずれかを利用可能であり、いずれにせよ、該コンデンサ電極用配線５０３ないし第２導電膜５１２のために、特別に電源を設ける必要がない分、装置構成を簡略化できる。
【０１０２】
加えて、誘電体膜７５は、画素部７０が備える保持容量１１９に含まれる誘電体膜と同一膜を共用できる。したがって、別途装置構成を煩雑にすることなく、コンデンサＣ（ｉ）−ｋを構成でき、データ線における画像信号電位の相違に応じて生じる輝度ムラを低減できる。
【０１０３】
（変形例）
データ線１４（ｉ）−１及びデータ線１４（ｉ）−１２にはコンデンサを設けず、データ線１４（ｉ）−２〜１４（ｉ）−１１にはコンデンサを設けて、当該コンデンサの容量値を最適化することでも、上述の実施形態と同様の効果が得られる。
【０１０４】
また、上述の実施形態は、データ線に付加的にコンデンサを形成するものであった。しかし、データ線そのものや各データ線に対応するサンプリングスイッチ２０２にも寄生容量が存在しているので、これらの寄生容量を利用して上述の形態と同様の効果を奏することも可能である。
【０１０５】
データ線の寄生容量とは、例えば、データ線と画素電極間に存在する容量や、データ線と他の配線あるいは回路との間に存在する容量、あるいはデータ線自体が持つ配線容量のことである。
【０１０６】
これらの寄生容量がブロック端に位置するデータ線について異なるようにしても良い。例えば、ブロック端に位置するデータ線については、他のデータ線に比べて、配線幅を細く形成する、あるいは長さを短くするなどして、面積を小さくすることで、配線容量を小さくするようにしても良い。
【０１０７】
こうすることで、データ線に付加的に設けたコンデンサの容量値をブロック端のデータ線と他のデータ線とで異ならせた場合と同様の効果を得ることが可能となる。
【０１０８】
（電子機器）
次に、上述した液晶装置を各種の電子機器に適用する場合について説明する。図９は、液晶装置をライトバルブとして用いたプロジェクタの構成例を示す平面図である。図９に示されるように、プロジェクタ１１００内部には、ハロゲンランプ等の白色光源より少なくともなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ，１１１０Ｂ，１１１０Ｇに入射される。
【０１０９】
液晶パネル１１１０Ｒ，１１１０Ｂ，１１１０Ｇの構成は、上述した液晶装置１と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１１０】
ここで、各液晶パネル１１１０Ｒ，１１１０Ｂ，１１１０Ｇによる表示像について着目すると、液晶パネル１１１０Ｇによる表示像は、液晶パネル１１１０Ｒ，１１１０Ｂによる表示像に対して左右反転することが必要となる。
【０１１１】
なお、液晶パネル１１１０Ｒ，１１１０Ｂ，１１１０Ｇには、ダイクロイックミラー１１０８によって、Ｒ、Ｇ、Ｂの各原色に対応する光が入射するので、カラーフィルタを設ける必要はない。
【０１１２】
このようなプロジェクタ１１００は、上述の液晶装置１を具備してなるので、スジ状の輝度ムラが抑制された高品位の画像を表示できる。
【図面の簡単な説明】
【０１１３】
【図１】本実施形態に係る電気光学装置の平面図。
【図２】図１のＨ−Ｈ'断面図。
【図３】本実施形態に係る電気光学装置の主要な電気的接続構成を示すブロック図。
【図４】データ線の駆動に係る回路構成を示す図。
【図５】データ線における画像信号電位の変化の一例を模式的に示した図。
【図６】データ線における画像信号電位の変化の他の例を模式的に示した図。
【図７】データ線に電気的に接続されたコンデンサの平面図。
【図８】図７のＢ−Ｂ'線断面図。
【図９】本実施形態に係る電子機器の平面図。
【符号の説明】
【０１１４】
１…液晶装置、１０…ＴＦＴアレイ基板、１４…データ線、１１ａ…走査線、Ｃ（ｉ）−ｋ…コンデンサ、Ｃｐ（ｉ）−ｊ，ＣＯ−１，ＣＯ−２…寄生容量。
【図１】
2007256909.tif 000003
【図２】
2007256909.tif 000004
【図３】
2007256909.tif 000005
【図４】
2007256909.tif 000006
【図５】
2007256909.tif 000007
【図６】
2007256909.tif 000008
【図７】
2007256909.tif 000009
【図８】
2007256909.tif 000010
【図９】
2007256909.tif 000011